(57)【要約】【課題】  タコグラフの時計表示機能が、常に時計として現在の時刻を知ることが目視可能とする事であり、且つ、その時計として正常動作しているかを短時間に確認で、時刻情報として活用出来るかを短時間に確認することである。【解決手段】  時計表示部の１２等分に分割して、時間単位の時刻位置を表示する時刻位置指示部と、回転する事で時間経過を示す短針と長針の全体又は、先端部と、短針と長針の中心を示す中心部を、光が当たらない暗闇でも発光、但し、夜光、蛍光、燐光、蓄光塗料を含む塗料で直接印刷、又は紙に印刷し、両面接着剤を含む接着糊で、貼り付けた事を特徴とするタコグラフの時計の表示部において、短針と長針の中心を示す中心部表示を正方形で表示し、且つ、正方形の表示部が１秒間隔で光の強弱を行なうたことを特徴とするタコグラフの時計表示部としたことである。【選択図】図１
0003104033.tif 000002
【実用新案登録請求の範囲】
【請求項１】
時計表示部で円形を１２等分に分割して、時間単位の時刻位置を表示する時刻位置指示部と、回転する事で時間単位での経過を示す短針と分単位の経過を表示する長針の針全体又は、針の先端部のみと、短針と長針の中心を示す中心部を、光が当たらない暗闇でも発光、但し、夜光、蛍光、燐光、蓄光塗料を含む塗料で直接印刷、又は紙に印刷し、両面接着剤を含む接着糊で、貼り付けた事を特徴とするタコグラフの時計の表示部において、短針と長針の２針で表示し、中心を示す中心部表示を正方形で表示したことを特徴とするタコグラフの時計表示部。
【請求項２】
時計表示部で円形を１２等分に分割して、時間単位の時刻位置を表示する時刻位置指示部と、回転する事で時間単位での経過を示す短針と分単位の経過を表示する長針の針全体又は、針の先端部のみと、短針と長針の中心を示す中心部を、光が当たらない暗闇でも発光、但し、夜光、蛍光、燐光、蓄光塗料を含む塗料で直接印刷、又は紙に印刷し、両面接着剤を含む接着糊で、貼り付けた事を特徴とするタコグラフの時計の表示部において、短針と長針の２針で表示し、中心を示す中心部表示を正方形で表示し、且つ、該正方形の表示部が数秒間隔で光の強弱を行なうたことを特徴とするタコグラフの時計表示部。
【考案の詳細な説明】
【技術分野】
【０００１】
本考案は、自動車の走行時間とその移動速度を記録するタコグラフの時計表示部に関する。
【背景技術】
【０００２】
自動車の走行時間とその移動速度を自動記録するタコグラフでは、その機能の一部である時計表示部は、その運行記録を自動的に残すと言う本来の目的から、時計表示部が顕在化することも、特に夜間に見易いことも要求されなかった。
自動で記録が残り、規定内で運行が確認されれば良いと言う本来の要求機能が優先し、夜間でも見易いことは機能向上にはなるが、その機能向上が満たされる事で、コストも上昇してしまうことは好まれなかった。
【０００３】
しかし、時計表示部が本来時計としての機能を持ち得ていることから、顕在化することで時計としての機能を発揮させることの要求が高まってきた。特に昼間でも夜間でもタコグラフの時計表示部で時計本来の機能の「今何時！」と言う置時計的機能を有効に使う方が、又、運転者が色んな機会に時艱情報を得られた方が良いと言う様に変化してきた。時計を新たに設置することを考えると、時計本来の機能を発揮させることで、時刻情報を容易に入手できる事を好む様に変化してきている。そんな変化から時計表示部に対し、見易さとその時計が正常に動作していて、信頼出来る時刻だと言う事を確認したいと言う機能要求が発生してきた。
【０００４】
置時計、壁掛け時計においては、昼間でも夜間でも時刻が確認できる様に、時計表示部の円形を１２等分に分割して、時間単位の時刻を表示する指示部と、回転する事で時間経過を示す短針と長針、そして、秒針を持つ３針構成にすることで、昼間での時刻確認及び正常動作を容易に確認できる様にして、光が当たらない暗闇でも確認できる様に、発光する塗料で直接印刷、又は紙に印刷し貼り付けた事を特徴とする時計は存在している。しかも、時計の表示部において、短針と長針と秒針を持つ３針構成の中心を示す中心部は、表示してないか、表示しているとした場合でも、丸く表示しているかであった。短針と長針の２針で時刻を表示する時計の中心部を正方形で表示することでも多少の認識時間を必要とするが正常動作を確認できる。短針と長針の２針で時刻を表示する時計の中心部を正方形で表示、更に光の強弱で表示している時計は見られない。
【０００５】
タコグラフの時計表示部に置時計や壁掛け時計をそのまま流用することは、コストが上昇してしまう弊害が有った。
時計表示部を短針と長針の２針構成にする事でコスト低減が図れ、運行を自動記録する上で分単位の記録が必要であるが、秒単位の表示はオーバースペックとなる。機能を持たせる必要のない秒単位の表示機能のある３針構成は必要とされなかった。
【特許文献１】特開平０８−０７７４０９号公報  に公開されている様に、乗車した乗客を感知してタコグラフの記録用紙に乗車記録を記録し、料金メータースイッチと連動して合成音声で「ご乗車ありがとうございました。」等のアナンスをするような機能向上を目指している。
【考案の開示】
【考案が解決しようとする課題】
【０００６】
解決しようとする問題点は、タコグラフで主要な機能の一部である時計表示機能を使って、時刻の確認とその時計が正常に動作している事を、短時間に目視確認できない点である。即ち、昼間でも夜間でも時計として正常に動作していて、且つ、時刻表示機能を短い時間で目視確認できる様にすることであり、情報として活用可能と判断できる様にすることである。
【課題を解決するための手段】
【０００７】
本考案は、夜間においても文字盤と短針、長針の位置が発光する塗料で直接印刷、又は紙に印刷し貼り付ける事で夜間目視確認が容易にしたことであり、しかも、短針と長針の中心を示す中心部を四角形で表示し、且つ、長針と同期して動くことで、丸く表示している事では、動いていることが目視確認できなかったが四角形にして、且つ、該正方形の表示部が１秒間隔で光の強弱を行なうたことで、中心部の表示を見るだけで、時計として動作していることが確認でき、時間としての時刻表示事項を認識し、時刻情報として活用可能と判断できる様にすることを認識し易くしたことにある。
【考案の効果】
【０００８】
本考案のタコグラフの時計表示部は、夜間目視確認を容易にしたことと伴に、時計として正常動作していることが確認でき、更に、時間としての時刻表示事項を認識し、情報として活用可能と判断できる様にしたことである。
【考案を実施するための最良の形態】
【０００９】
図1に本考案を実現した実施例を示す。但し、中心部の正方形の表示部が１秒間隔で光の強弱を行なう事を表示していない。
【実施例１】
【００１０】
図２は、従来の２針表示部の事例である。
図3は、従来の３針表示部の事例である。
【産業上の利用可能性】
【００１１】
本考案は２針の置き時計、壁掛け時計等にも適用できる。
【図面の簡単な説明】
【００１２】
【図１】本考案を実施した事例を示す。
【図２】従来の２針の実施例を示す。
【図３】従来の３針の実施例を示す。
【図４】タコグラフの全体構造図を示す。
【符号の説明】
【００１３】
１    時刻表示文字盤
２    短針
３    長針
４    秒針
５    中心表示部
【図１】
0003104033.tif 000003
【図２】
0003104033.tif 000004
【図３】
0003104033.tif 000005
【図４】
0003104033.tif 000006